(57)【要約】      （修正有）【課題】人形を実際の赤ん坊のおんぶと同じように保持できるままごと用おんぶ帯玩具を提供する。【解決手段】略四角形状の背当て部に左右一対の帯体４を設け、該帯体４は肩掛部５と腰帯部６と幼児の胸部前側で重なる前合わせ部７とにより形成し、帯体４と背当て部の間に幼児の腕を通す開口部８を形成する。左右の前合わせ部７の何れか一方の表面と何れか他方の裏面には、互いに接離自在の止着部材１０を設け、腰帯部６には伸縮部１１を設ける。背当て部の下側から上下中間の中央部分にはギャザー１５を形成する。【選択図】図１
0003150531.tif 000002
【実用新案登録請求の範囲】
【請求項１】
略四角形状の背当て部３に左右一対の帯体４を設け、該帯体４は幼児Ｙの両肩に掛ける肩掛部５と幼児Ｙの腰部周囲の腰帯部６と該左右の帯体４の肩掛部５と腰帯部６の間の幼児Ｙの胸部前側で重なる前合わせ部７とにより形成し、左右の帯体４と背当て部３の間に幼児Ｙの腕を通す開口部８を形成し、前記左右の前合わせ部７の何れか一方の表面と何れか他方の裏面には、夫々互いに接合および離脱自在の止着部材１０を設け、前記左右の腰帯部６には伸縮する伸縮部１１を夫々設け、前記背当て部３の下側から上下中間の中央部分には背当て部３の左右幅を広げて背当て部３と幼児Ｙの背中の間に人形２を収容する収容凹部１６を形成するギャザー１５を形成したままごと用おんぶ帯玩具。
【考案の詳細な説明】
【技術分野】
【０００１】
本考案は、ままごと用おんぶ帯玩具に係るものである。
【背景技術】
【０００２】
従来、人形の左右側に帯体を設けた玩具の構成は公知である（特許文献１）。
【先行技術文献】
【特許文献】
【０００３】
【特許文献１】特開２００４−１２１７９３号公報
【考案の概要】
【考案が解決しようとする課題】
【０００４】
前記公知例は、単に、人形を背負うだけであるから、他の人形を背負うことができないという課題がある。
また、公知例は、リュックのように人形を背負うだけであるから、ままごと遊びとして赤ん坊をおんぶするという実感からかけ離れており、幼児はままごと遊びの充実感が得られないという課題がある。
本願は、ままごと用おんぶ帯玩具により人形をおんぶするままごと遊びを、実際の赤ん坊のおんぶと同じ実感を得られるように工夫したものである。
【課題を解決するための手段】
【０００５】
本考案は、略四角形状の背当て部３に左右一対の帯体４を設け、該帯体４は幼児Ｙの両肩に掛ける肩掛部５と幼児Ｙの腰部周囲の腰帯部６と該左右の帯体４の肩掛部５と腰帯部６の間の幼児Ｙの胸部前側で重なる前合わせ部７とにより形成し、左右の帯体４と背当て部３の間に幼児Ｙの腕を通す開口部８を形成し、前記左右の前合わせ部７の何れか一方の表面と何れか他方の裏面には、夫々互いに接合および離脱自在の止着部材１０を設け、前記左右の腰帯部６には伸縮する伸縮部１１を夫々設け、前記背当て部３の下側から上下中間の中央部分には背当て部３の左右幅を広げて背当て部３と幼児Ｙの背中の間に人形２を収容する収容凹部１６を形成するギャザー１５を形成したままごと用おんぶ帯玩具としたものである。
【考案の効果】
【０００６】
請求項１の考案では、背当て部３に一対の帯体４を設け、帯体４は上部に幼児Ｙの両肩に掛ける肩掛部５と腰帯部６と幼児Ｙの胸部前側で重なる前合わせ部７を夫々形成し、背当て部３の左右両側に幼児Ｙの腕を通す開口部８を形成し、左右の前合わせ部７に止着部材１０を設けているので、大人が人形ごとままごと用おんぶ帯玩具１を幼児Ｙの背中にあてがうと、背当て部３の下側から上下中間の中央部分のギャザー１５が背当て部３の左右幅を広げて背当て部３と幼児Ｙの背中の間に人形２を収容する収容凹部１６を形成して、幼児Ｙは開口部８から腕を通すと、幼児Ｙはままごと用おんぶ帯玩具１を背負うことができ、実際の赤ん坊のおんぶを体感できる。
また、ままごと用おんぶ帯玩具１は、背当て部３の左右に帯体４を設け、背当て部３と帯体４の間に開口部８を形成しているので、見ただけで使用方法を理解することができる。
また、前合わせ部７の止着部材１０を外すだけで、ままごと用おんぶ帯玩具１および人形２を体から一人で降ろすことができる。
【図面の簡単な説明】
【０００７】
【図１】ままごと用おんぶ帯玩具の斜視図。
【図２】ままごと用おんぶ帯玩具の正面図。
【図３】ままごと用おんぶ帯玩具の縦断側面図。
【図４】ままごと用おんぶ帯玩具の使用状態縦断側面図。
【図５】ままごと用おんぶ帯玩具を背負う状態の概略斜視図。
【図６】ままごと用おんぶ帯玩具を背負った状態の概略斜視図。
【図７】ままごと用おんぶ帯玩具の前合わせ部を外す状態の概略斜視図。
【図８】ままごと用おんぶ帯玩具を降ろす状態の概略斜視図。
【考案を実施するための最良の形態】
【０００８】
本考案の実施例を図により説明すると、１は幼児Ｙが使用するままごと用おんぶ帯玩具、２はままごと用おんぶ帯玩具１を用いておんぶする人形である。
ままごと用おんぶ帯玩具１は、略四角形状の背当て部３に左右一対の帯体４を設けて形成する。帯体４は上部に幼児Ｙの両肩に掛ける肩掛部５と、腰帯部６を一体形成する。左右の帯体４の肩掛部５と腰帯部６の間には、幼児Ｙの胸部前側で重なる前合わせ部７を夫々形成する。
【０００９】
左右の肩掛部５は背当て部３の上部左右側に取付け、左右の腰帯部６は背当て部３の下部に取付ける。肩掛部５と腰帯部６と前合わせ部７は、背当て部３の左右両側に幼児Ｙの腕を通す開口部８を形成する。
左右の肩掛部５は幼児Ｙの肩および腕の動作を阻害せず、かつ、幼児Ｙの肩に掛けられる所定幅を有して形成する。腰帯部６は幼児Ｙの腕を通す前記開口部８を大きく開口させるために前合わせ部７に比し相当細い所定幅に形成する。
【００１０】
左右の前合わせ部７の何れか一方の表面と何れか他方の裏面には、互いに接合および離脱自在の止着部材１０を夫々設ける。
左右の帯体４は開口部８から腕を通し、左右の前合わせ部７の一方の表面に他方の裏面を重ね合わせ、両方の前合わせ部７を止着部材１０により留める。
前記左右の腰帯部６には伸縮する伸縮部１１を設ける。伸縮部１１は所謂襞を多数設けた折り返し部分にゴム等の弾性部材を装着して構成する。
【００１１】
前記背当て部３は、キルティング素材等によりしなやかさと板状の形状保持作用を有して形成する。
背当て部３の下側部分から上下中間の中央部分には、ままごと用おんぶ帯玩具１を使用したとき人形２を収納するように、背当て部３を外側に膨らませるギャザー１５を形成する。
【００１２】
ギャザー１５は、背当て部３の下部の布地を重ねて縫製する縫製部１５Ａと、布地が重なる重なり部１５Ｂにより形成する。
なお、理解を容易にするため、ギャザー１５の縫製部１５Ａは、背当て部３と腰帯部６とが重なった部分に図示しているが、場所は任意である。
ギャザー１５は、ままごと用おんぶ帯玩具１を背負ったとき、背当て部３の下部の部分を幅方向に広げて人形２を収容する収容凹部１６を背当て部３の内面に形成する。
１７は背当て部３の上部に設けた人形２の頭部を支持する頭当部である。
【００１３】
（実施例の作用）
ままごと用おんぶ帯玩具１は、略四角形状の背当て部３に左右一対の帯体４を設けて形成し、帯体４は上部に幼児Ｙの両肩に掛ける肩掛部５と腰帯部６と幼児Ｙの胸部前側で重なる前合わせ部７を夫々形成し、肩掛部５と腰帯部６と前合わせ部７は、背当て部３の左右両側に幼児Ｙの腕を通す開口部８を形成しているので、大人が人形ごとままごと用おんぶ帯玩具１を幼児Ｙの背中にあてがうと（図５）、幼児Ｙは開口部８から腕を通し、左右の肩掛部５が幼児Ｙの肩に掛かってままごと用おんぶ帯玩具１を背負うことができる。
【００１４】
次に、左右の前合わせ部７の何れか一方の表面と何れか他方の裏面には、夫々止着部材１０を設けているから、幼児Ｙは前合わせ部７を重ね合わせると、夫々の止着部材１０が互いに接合し、左右の前合わせ部７の重なった状態を保持する。
したがって、ままごと用おんぶ帯玩具１は幼児Ｙから落ちない使用状態となる（図６）。
【００１５】
背当て部３の下部中央部分には背当て部３の幅方向に広がるギャザー１５を形成しているので、ままごと用おんぶ帯玩具１を背負うと、背当て部３の下部が幼児Ｙの背中に密着し、一方、背当て部３の内面にはギャザー１５が広がって、幼児Ｙの背中と背当て部３との間に人形２を収容する収容凹部１６を形成することができる。
そのため、幼児Ｙは、ままごと用おんぶ帯玩具１を背負ったまま種々の動作を行っても、人形２はままごと用おんぶ帯玩具１により実際の赤ん坊のおんぶと同じように保持できる。
【００１６】
それゆえ、人形２を実際の赤ん坊と同じように、おんぶした実体感が容易に得られ、情操教育を含めた体験学習効果を向上させることができる。
また、ままごと用おんぶ帯玩具１は、背当て部３の左右に帯体４を設け、背当て部３と帯体４の間に開口部８を形成しているので、見ただけで使用方法を理解することができる。
【００１７】
また、幼児Ｙは左右の肩掛部５を肩に掛けてままごと用おんぶ帯玩具１を背負うと、左右の前合わせ部７の止着部材１０を合わせるだけで、左右の前合わせ部７を留めることができ、おんぶができる。
この場合、ままごと用おんぶ帯玩具１は、背当て部３の内面にはギャザー１５が広がって人形２を収容する収容凹部１６を形成するので、実際のおんぶ紐のように赤ん坊の足を通すことが不要となって、幼児Ｙでも簡単におんぶができる。
【００１８】
この収容凹部１６内の人形２は、幼児Ｙの背中と背当て部３とにより前後に挟持され、左右の肩掛部５により左右側から挟持されるので、実際の子供をおんぶするのと相違して、軽量な人形２であれば充分に保持可能である。
そのため、背当て部３全体を体に密着させるほど、ままごと用おんぶ帯玩具１を締め付ける必要が無く、ままごと用おんぶ帯玩具１の装着時の圧迫感を殆ど解消させることができる。
【００１９】
また、ままごと用おんぶ帯玩具１を背負った状態での幼児Ｙの姿勢や行動への影響を最小限にし、幼児Ｙはままごと遊びを長時間続けることができ、幼児期特有の飽きるという性格改善の幼児教育効果を期待できる。
また、前合わせ部７の止着部材１０を外すだけで（図７）、ままごと用おんぶ帯玩具１および人形２を体から降ろすことができ（図８）、ままごと用おんぶ帯玩具１による拘束感からの解放も一人で容易に行うことができる。
【符号の説明】
【００２０】
１…ままごと用おんぶ帯玩具、２…人形、３…背当て部、４…帯体、５…肩掛部、６…腰帯部、７…前合わせ部、８…開口部、１０…止着部材、１１…伸縮部、１５…ギャザー、１５Ａ…縫製部、１５Ｂ…重なり部、１６…収容凹部、１７…頭当部。
【図１】
0003150531.tif 000003
【図２】
0003150531.tif 000004
【図３】
0003150531.tif 000005
【図４】
0003150531.tif 000006
【図５】
0003150531.tif 000007
【図６】
0003150531.tif 000008
【図７】
0003150531.tif 000009
【図８】
0003150531.tif 000010
【手続補正書】
【提出日】平成21年3月24日(2009.3.24)
【手続補正１】
【補正対象書類名】図面
【補正対象項目名】全図
【補正方法】変更
【補正の内容】
【図１】
0003150531.tif 000011
【図２】
0003150531.tif 000012
【図３】
0003150531.tif 000013
【図４】
0003150531.tif 000014
【図５】
0003150531.tif 000015
【図６】
0003150531.tif 000016
【図７】
0003150531.tif 000017
【図８】
0003150531.tif 000018